(57)【要約】【課題】  走行中の死角を少なくし、視界を広くし、安全運転及び車内確認に役立つ一部広角ミラーを提供することである。【解決手段】  ミラー本体（１１）の表面（１１ａ）の一部に、任意の曲率を持つ凸面状の鏡面をなす広角部分（１２）が設けられていることを特徴とする。【選択図】図１
2006001520.tif 000002
【特許請求の範囲】
【請求項１】
ミラー本体の表面の一部に、任意の曲率を持つ凸面状の鏡面をなす広角部分が設けられていることを特徴とする一部広角ミラー。
【請求項２】
前記の広角部分が、ミラー本体と一体に形成され、あるいはミラー本体に着脱可能に取付けられていることを特徴とする請求項１に記載の一部広角ミラー。
【発明の詳細な説明】
【技術分野】
【０００１】本発明は、一部広角ミラーに関する。より詳細には、本発明は、ルームミラー及び／又はサイドミラーの一部に広角部分を設ける事によって、別途に取付ける場所と手間を必要とせずに、容易に運転中の視界を大きく広げ、死角を少なくする事ができる、一部広角ミラーである。
【背景技術】
【０００２】  従来の車内のミラーは視界が狭く、死角も多く、走行中の車間距離や駐車する時の距離感を掴むのが、困難で危険であり、従来のミラーだけを利用して運転した場合の危険性及び不便性は次に記述する如きもので、その概要を記載する。
イ、駐車する時は、死角が多いためルームミラーとサイドミラーを確認しながらも視界が狭いため事故が起こりやすい。
ロ、右折、左折、車線変更の時、後続車が接近するのがわかり難いため、接触事故の危険が大きい。
ハ、子供、高齢者、病人等を乗せている時など、後部座席の状況も掴みづらい。
ニ、既存の広角ミラーは別途に取り付けるものなので場所を取り運転の邪魔になり、取付の手間も時間も経費もかかる。
【発明の開示】
【発明が解決しようとする課題】
【０００３】イの場合は、窓から顔を出して廻りを確認したり、ハンドルを切りながら、後方を確認したり、他の人に誘導してもらったりするが、非常に技術を必要とし、危険で難しい作業になる。
ロの場合は、後続車や周囲を確認するのに、横を向いたり振り向いたりする必要があり、それでもなお見えず、危険である。
ハの場合は、やはり振り向く事が多くなり危険である。
ニの場合は、運転の邪魔にならないよう取付ける場所を選んで工夫して取付ける。
【課題を解決するための手段】
【０００４】  本願発明の一部広角ミラーは、ルームミラー及び／又はサイドミラーの鏡面の端に一部曲率を設け、広角部分を作る事により、既存の広角ミラーを使用する場合のように取付ける場所と手間と経費を必要とせずに、容易に視界を大きくする事ができる事を特徴とするものである。
【発明の効果】
【０００５】  本願発明の一部広角ミラーを車のルームミラー、サイドミラーに取付ける事により、後方と横の視界が非常に大きく広がるため死角も少なくなり、後部座席も良く見えるので防犯にもつながり車の運転を安全に行う事ができるようになるうえ、従来の広角ミラーは単独で別に取付けなければならないため、場所と手間と経費を必要としたが、広角部分が一体なのでスペースも取らず、運転の邪魔にならない。
【発明を実施するための最良の形態】
【０００６】  次に図面を参照して、本発明の好ましい実施の形態に係る一部広角ミラーについて詳細に説明する。
本発明の一部広角ミラー１０には、ミラー本体１１の表面１１ａの一部に広角部分１２が設けられている。広角部分１２の表面は、凸面状の鏡面を成すように形作られており、広角部分の大きさ、位置、鏡面の曲率は任意とする。【０００７】  ミラー本体１１は、従来使用されているサイルームミラー及び／又はサイドミラーと同様のものでよく、表面１１ａはガラス及びアルミ等を用いるが、鏡面状になっているものであれば、任意である。【０００８】  図１においてミラー本体１１と広角部分１２は一体に形成されている。【０００９】  上述の実施の形態に係るミラー本体１１と広角部分１２が一体に形成されているが、ミラー本体１１と広角部分１２を別々に形成しても良い。図３を参照してより詳細に説明すると、一部広角ミラー２０はミラー本体２１の表面２１ａに広角部分２２が取付けられている。ミラー本体２１と広角部分２２は図１の一部広角ミラー１０とは異なり、別々の部品として形成されている。【００１０】  広角部分２２の形状、大きさ、材料は一部広角ミラー１０と同様でもよい。【００１１】  広角部分１２、２２のミラー表面１１ａ、１２ａへの取付け方法は、接着剤、粘着テープ、吸盤等の任意の方法で行われる。【００１２】  一部広角ミラー１０、２０をルームミラーに使用した場合の視界Ｗ２（図４（ｂ）参照）は、従来のミラーを使用した場合の視界Ｗ１（図４（ａ）参照）と比べると、後部座席は座っている人の上半身までと両サイドの窓まで見えるようになり、後続車も良く見えるように後部の視界が広がり、安全運転に大変役に立つうえ、子供や高齢者、病人を同乗させている場合、様子を確認しながら、安心して運転する事ができ、タクシーに使えば事故事件防止にも繋がる。なお、従来のミラーを使用した場合、車内の視界Ｗ５（図４（ａ）参照）は後部座席に座っている人の位置によって、やっと人の顔が見えるくらいだが、一部広角ミラー１０、２０を使用した場合の車内の視界Ｗ６（図４（ｂ）参照）は後部座席に３人並んでも全員の上半身まで見えるようになる。【００１３】  一部広角ミラー１０、２０をサイドミラーに取付けた場合の視界Ｗ４（図５（ｄ）参照）は、従来のミラーを使用した場合の視界Ｗ３（図５（ｃ）参照）と比べると、すぐ後ろなら後続車が１台分そっくり見えるようになるし、１０メートル位離れると、２〜３台並んでも見えるくらいに視界がひろがり、安全運転に大変役に立つ。【００１４】  一部広角ミラー１０、２０の広角部分１２、２２は、円形の形状のものとして図示されているが、用途に合わせて、任意の形状（長方形、楕円形、等）でも良い。【００１５】  一部広角ミラー１０、２０は形状を変えれば店や家庭の防犯用、インテリアにも使用できる。
【図面の簡単な説明】
【００１６】
【図１】本発明にかかる一部広角ミラーの平面図である。
【図２】本発明にかかる一部広角ミラーを図１の線２−２に沿ってみた断面図である。
【図３】本発明にかかる着脱式一部広角ミラーの分解図である。
【図４】（ａ）（ｂ）  本発明の一部広角ミラーをルームミラーに取付けた場合の視界を示した図である。  図４（ａ）は、従来のルームミラーを使用した場合の視界を示した図である。  図４（ｂ）は本発明の一部広角ミラーを使用した場合の視界を示した図である。
【図５】（ａ）（ｂ）  本発明の一部広角ミラーをサイドミラーに取付けた場合の視界を示した図である。  図５（ａ）は従来のサイドミラーを使用した場合の視界を示した図である。  図５（ｂ）は本発明の一部広角ミラーを使用した場合の視界を示した図である。
【符号の説明】
【００１７】１０      一部広角ミラー一体型本体
１１      ミラー本体
１２      一部広角ミラー一体型広角部分
２０      一部広角ミラー着脱可能本体
２１      ミラー本体
２２      一部広角ミラー着脱可能広角部分
１１ａ    ミラー表面
Ｗ１      通常ルームミラーを使用した場合の視界
Ｗ２      一部広角ミラーをルームミラーとして使用した場合の視界
Ｗ３      通常サイドミラーを使用した場合の視界
Ｗ４      一部広角ミラーをサイドミラーに使用した場合の視界
Ｗ５      通常ルームミラーを使用した場合の車内の視界
Ｗ６      一部広角ミラーをルームミラーとして使用した場合の車内の視界
【図１】
2006001520.tif 000003
【図２】
2006001520.tif 000004
【図３】
2006001520.tif 000005
【図４】
2006001520.tif 000006
【図５】
2006001520.tif 000007